(57)【要約】【課題】外部電源からの電圧の供給が停止した原因が遮断器の遮断による場合に、遮断器の遮断の再発を防止することができる電子機器、画像形成装置、及びプログラムを提供する。【解決手段】画像形成装置１０は、商用電源系統４０からブレーカー４２を介して供給される電圧の供給が停止した後に電圧の供給が再開された場合に、ブレーカー４２の遮断により電圧の供給が停止したか否かを判定する判定部３０と、判定部３０によりブレーカー４２の遮断により電圧の供給が停止したと判定された場合に、画像形成装置１０の起動モードを省電力モードに移行させて起動する起動部３２と、を備える。【選択図】図１
2018044982.tif 000002
【特許請求の範囲】
【請求項１】
外部電源から遮断器を介して供給される電圧の供給が停止した後に前記電圧の供給が再開された場合に、前記遮断器の遮断により前記電圧の供給が停止したか否かを判定する判定部と、
前記判定部により前記遮断器の遮断により前記電圧の供給が停止したと判定された場合に、自機の起動モードを省電力モードに移行させて起動する起動部と、
を備えた電子機器。
【請求項２】
前記外部電源から供給される電圧の大きさを検知する検知部をさらに備え、
前記起動部は、前記判定部により前記遮断器の遮断により前記電圧の供給が停止したと判定された場合で、且つ、前記供給が再開された電圧の大きさが前記停止の直前に前記検知部により検知された前記電圧の大きさとは異なる第１閾値未満である場合に、前記省電力モードに移行させて起動する請求項１に記載の電子機器。
【請求項３】
前記第１閾値は、前記停止の直前に前記検知部により検知された前記電圧の大きさよりも大きい請求項２に記載の電子機器。
【請求項４】
前記停止の直前に前記検知部により検知された前記電圧の大きさは、前記停止の直前の前記電圧の変化の変曲点における大きさである請求項２又は３に記載の電子機器。
【請求項５】
前記起動部は、前記判定部により前記遮断器の遮断により前記電圧の供給が停止したと判定された場合で、且つ、前記電圧の供給が停止してから再開するまでの時間が予め定められた時間未満である場合に、前記省電力モードに移行させて起動する請求項１に記載の電子機器。
【請求項６】
前記起動部は、前記省電力モードに移行させて起動する場合に、前記電子機器の起動を予め定められた期間遅延させる請求項５に記載の電子機器。
【請求項７】
前記外部電源から供給される電圧の大きさを検知する検知部をさらに備え、
前記起動部は、前記判定部により前記遮断器の遮断により前記電圧の供給が停止したと判定された場合で、且つ、前記電圧の供給が停止してから再開するまでの時間が予め定められた時間以上である場合で、且つ、前記供給が再開された電圧の大きさが前記停止の直前に前記検知部により検知された電圧の大きさとは異なる第１閾値未満である場合に、前記省電力モードに移行させて起動する請求項１に記載の電子機器。
【請求項８】
前記起動部は、前記判定部により前記遮断器の遮断により前記電圧の供給が停止したと判定された場合で、且つ、前記電圧の供給が停止してから再開するまでの前記時間が前記予め定められた時間未満である場合で、且つ、前記供給が再開された前記電圧の大きさが前記第１閾値よりも大きい第２閾値未満である場合に、前記電子機器の起動を予め定められた期間遅延させた後に、前記省電力モードに移行させて起動する請求項７に記載の電子機器。
【請求項９】
外部電源から遮断器を介して供給される電圧により動作し、記録媒体に画像を形成する画像形成部と、
前記電圧の供給が停止した後に前記電圧の供給が再開された場合に、前記遮断器の遮断により前記電圧の供給が停止したか否かを判定する判定部と、
前記判定部により前記遮断器の遮断により前記電圧の供給が停止したと判定された場合に、自機の起動モードを省電力モードに移行させて起動する起動部と、
を備えた画像形成装置。
【請求項１０】
コンピュータを、請求項１〜８のいずれか１項に記載の電子機器が備える起動部として機能させるためのプログラム。
【発明の詳細な説明】
【技術分野】
【０００１】
本発明は、電子機器、画像形成装置、及びプログラムに関する。
【背景技術】
【０００２】
特許文献１には、商用電源から供給される電力で動作する負荷と、商用電源から入力される電源電圧を検知する検知手段と、負荷の動作に必要な動作保証電圧値を格納する格納手段と、報知を行う報知手段と、を有する電子機器が記載されている。この電子機器は、さらに、負荷へ印加する電力を制御する制御手段を有する。この制御手段は、負荷の通常動作時の電源電圧を予測電圧値として算出する。予測電圧値の算出は、それぞれ負荷の通常動作時に商用電源から供給される動作時電力値よりも小さい第１の値とは異なる第２の値の電力が、それぞれ負荷に印加されているときに検知手段により検知される第１電圧値及び第２電圧値に基づいて行われる。この制御手段は、算出した予測電圧値が格納手段に格納された動作保証電圧値を下回っている場合は、報知手段により商用電源の設備の不具合に関する報知を行う。この制御手段は、負荷の通常動作時に検知手段により検知される第３電圧値が予測電圧値を下回っている場合は、報知手段により電子機器以外の機器が電子機器と同一の電源ラインに接続されているかの確認に関する報知を行う。
【０００３】
また、特許文献２には、画像を形成する画像形成装置が記載されている。この画像形成装置は、画像形成装置の電源断がブレーカーによる回路遮断の結果発生したものか否かを判定する判定部を備える。この画像形成装置は、判定部により電源断がブレーカーによる回路遮断の結果発生したものと判定された場合に、画像形成装置の再起動時に注意喚起メッセージを表示する表示部を備える。
【先行技術文献】
【特許文献】
【０００４】
【特許文献１】特許第５１８８２７８号公報
【特許文献２】特開２０１３−１８６４４３号公報
【発明の概要】
【発明が解決しようとする課題】
【０００５】
ところで、電子機器の使用中に遮断器（ブレーカー）の遮断により外部電源からの電圧の供給が停止した場合、停止の直後に遮断器を復帰させ、電子機器を再起動すると、遮断器の遮断が再発する可能性がある。この遮断器の遮断の再発を防止できることが望まれている。
【０００６】
本発明は、外部電源からの電圧の供給が停止した原因が遮断器の遮断による場合に、遮断器の遮断の再発を防止することができる電子機器、画像形成装置、及びプログラムを提供することを目的とする。
【課題を解決するための手段】
【０００７】
上記目的を達成するために、請求項１に記載の電子機器は、外部電源から遮断器を介して供給される電圧の供給が停止した後に前記電圧の供給が再開された場合に、前記遮断器の遮断により前記電圧の供給が停止したか否かを判定する判定部と、前記判定部により前記遮断器の遮断により前記電圧の供給が停止したと判定された場合に、自機の起動モードを省電力モードに移行させて起動する起動部と、を備える。
【０００８】
また、請求項２に記載の発明は、請求項１に記載の発明において、前記外部電源から供給される電圧の大きさを検知する検知部をさらに備え、前記起動部が、前記判定部により前記遮断器の遮断により前記電圧の供給が停止したと判定された場合で、且つ、前記供給が再開された電圧の大きさが前記停止の直前に前記検知部により検知された前記電圧の大きさとは異なる第１閾値未満である場合に、前記省電力モードに移行させて起動するものである。
【０００９】
また、請求項３に記載の発明は、請求項２に記載の発明において、前記第１閾値が、前記停止の直前に前記検知部により検知された前記電圧の大きさよりも大きいとされている。
【００１０】
また、請求項４に記載の発明は、請求項２又は３に記載の発明において、前記停止の直前に前記検知部により検知された前記電圧の大きさが、前記停止の直前の前記電圧の変化の変曲点における大きさとされている。
【００１１】
また、請求項５に記載の発明は、請求項１に記載の発明において、前記起動部が、前記判定部により前記遮断器の遮断により前記電圧の供給が停止したと判定された場合で、且つ、前記電圧の供給が停止してから再開するまでの時間が予め定められた時間未満である場合に、前記省電力モードに移行させて起動するものである。
【００１２】
また、請求項６に記載の発明は、請求項５に記載の発明において、前記起動部が、前記省電力モードに移行させて起動する場合、前記電子機器の起動を予め定められた期間遅延させるものである。
【００１３】
また、請求項７に記載の発明は、請求項１に記載の発明において、前記外部電源から供給される電圧の大きさを検知する検知部をさらに備え、前記起動部が、前記判定部により前記遮断器の遮断により前記電圧の供給が停止したと判定された場合で、且つ、前記電圧の供給が停止してから再開するまでの時間が予め定められた時間以上である場合で、且つ、前記供給が再開された電圧の大きさが前記停止の直前に前記検知部により検知された電圧の大きさとは異なる第１閾値未満である場合に、前記省電力モードに移行させて起動するものである。
【００１４】
また、請求項８に記載の発明は、請求項７に記載の発明において、前記起動部が、前記判定部により前記遮断器の遮断により前記電圧の供給が停止したと判定された場合で、且つ、前記電圧の供給が停止してから再開するまでの前記時間が前記予め定められた時間未満である場合で、且つ、前記供給が再開された前記電圧の大きさが前記第１閾値よりも大きい第２閾値未満である場合に、前記電子機器の起動を予め定められた期間遅延させた後に、前記省電力モードに移行させて起動するものである。
【００１５】
一方、上記目的を達成するために、請求項９に記載の画像形成装置は、外部電源から遮断器を介して供給される電圧により動作し、記録媒体に画像を形成する画像形成部と、前記電圧の供給が停止した後に前記電圧の供給が再開された場合に、前記遮断器の遮断により前記電圧の供給が停止したか否かを判定する判定部と、前記判定部により前記遮断器の遮断により前記電圧の供給が停止したと判定された場合に、自機の起動モードを省電力モードに移行させて起動する起動部と、を備える。
【００１６】
さらに、上記目的を達成するために、請求項１０に記載のプログラムは、コンピュータを、請求項１〜８のいずれか１項に記載の電子機器が備える起動部として機能させるものである。
【発明の効果】
【００１７】
請求項１、請求項９、及び請求項１０に係る発明によれば、外部電源からの電圧の供給が停止した原因が遮断器の遮断による場合に、遮断器の遮断の再発を防止することができる。
【００１８】
請求項２に係る発明によれば、省電力モードへの移行の判定に、停止の直前における電圧の大きさとは異なる閾値を用いることで、遮断器の遮断の再発をより確実に防止することができる。
【００１９】
請求項３に係る発明によれば、省電力モードへの移行の判定に、停止の直前における電圧の大きさよりも大きい閾値を用いることで、遮断器の遮断の再発をより確実に防止することができる。
【００２０】
請求項４に係る発明によれば、停止の直前における電圧の大きさとして、停止の直前の電圧の変曲点における大きさを用いることで、より簡易に閾値を設定することができる。
【００２１】
請求項５に係る発明によれば、省電力モードへの移行の判定に、電圧の供給が停止してから再開するまでの時間を用いることで、遮断器の遮断の再発をより確実に防止することができる。
【００２２】
請求項６に係る発明によれば、省電力モードへの移行前に遅延期間を設けることで、遮断器の遮断の再発をより確実に防止することができる。
【００２３】
請求項７に係る発明によれば、省電力モードへの移行の判定に、停止の直前における電圧の大きさとは異なる閾値と、電圧の供給が停止してから再開するまでの時間と、を用いることで、遮断器の遮断の再発をより確実に防止することができる。
【００２４】
請求項８に係る発明によれば、電圧の供給が停止してから再開するまでの時間と、停止の直前における電圧の大きさとは異なる閾値よりも大きい他の閾値と、を用いることで、遮断器の遮断の再発をより確実に防止することができる。
【図面の簡単な説明】
【００２５】
【図１】実施形態に係る画像形成装置の構成及び商用電源系統に関する部分の構成の一例を示すブロック図である。
【図２】第１の実施形態に係る判定処理プログラムによる処理の流れの一例を示すフローチャートである。
【図３】実施形態に係る画像形成装置への電圧の供給がブレーカーの遮断により停止した場合における時間の経過に伴う商用電源系統から画像形成装置に供給される電圧の変化の一例を示すグラフである。
【図４】実施形態に係る画像形成装置への電圧の供給がプラグの引き抜きにより停止した場合における時間の経過に伴う商用電源系統から画像形成装置に供給される電圧の変化の一例を示すグラフである。
【図５】実施形態に係る画像形成装置への電圧の供給がプラグの引き抜きにより停止した場合における時間の経過に伴う商用電源系統から画像形成装置に供給される電圧の変化の他の例を示すグラフである。
【図６】第１の実施形態に係る起動処理プログラムによる処理の流れの一例を示すフローチャートである。
【図７】実施形態に係る報知画面の一例を示す図である。
【図８】第２の実施形態に係る起動処理プログラムによる処理の流れの一例を示すフローチャートである。
【図９】第２の実施形態に係る起動処理プログラムによる処理の流れの他の例を示すフローチャートである。
【図１０】第２の実施形態に係る起動処理プログラムによる処理の流れの他の例を示すフローチャートである。
【発明を実施するための形態】
【００２６】
以下、図面を参照して、本発明を実施するための形態の一例について詳細に説明する。
【００２７】
[第１の実施形態]
図１は、本実施形態に係る画像形成装置１０の構成及び商用電源系統４０に関する部分の構成の一例を示すブロック図である。
図１に示すように、画像形成装置１０は、制御部１２と、記憶部１４と、表示部１６と、操作部１８と、画像形成部２０と、原稿読取部２２と、検知部２４と、切替部２６と、ＬＶ(Low Voltage)電源２７と、プラグ２８と、を備える。画像形成装置１０は、電子機器の一例である。
【００２８】
制御部１２は、ＣＰＵ(Central Processing Unit)１２Ａ、ＲＯＭ(Read Only Memory)１２Ｂ、ＲＡＭ(Random Access Memory)１２Ｃ、及び入出力インターフェース（Ｉ／Ｏ）１２Ｄを備えており、これら各部がバスを介して各々接続されている。
【００２９】
Ｉ／Ｏ１２Ｄには、記憶部１４と、表示部１６と、操作部１８と、画像形成部２０と、原稿読取部２２と、を含む各機能部が接続されている。これらの各機能部は、Ｉ／Ｏ１２Ｄを介して、ＣＰＵ１２Ａと相互に通信可能とされる。
【００３０】
制御部１２は、画像形成装置１０の全体の動作を制御するメイン制御部の一部として構成されてもよい。制御部１２の各ブロックの一部又は全部には、例えば、ＬＳＩ（Large Scale Integration）等の集積回路又はＩＣ（Integrated Circuit）チップセットが用いられる。上記各ブロックに個別の回路を用いてもよいし、一部又は全部を集積した回路を用いてもよい。上記各ブロック同士が一体として設けられてもよいし、一部のブロックが別に設けられてもよい。また、上記各ブロックのそれぞれにおいて、その一部が別に設けられてもよい。制御部１２の集積化には、ＬＳＩに限らず、専用回路又は汎用プロセッサを用いてもよい。
【００３１】
記憶部１４としては、例えば、ＨＤＤ(Hard Disk Drive)、ＳＳＤ(Solid State Drive)、フラッシュメモリ等が用いられる。記憶部１４には、判定処理プログラム１４Ａ、起動処理プログラム１４Ｂが記憶される。なお、これらの判定処理プログラム１４Ａ及び起動処理プログラム１４Ｂは、ＲＯＭ１２Ｂに記憶されていてもよい。
【００３２】
上記の判定処理プログラム１４Ａ及び起動処理プログラム１４Ｂは、例えば、画像形成装置１０に予めインストールされていてもよい。判定処理プログラム１４Ａ及び起動処理プログラム１４Ｂは、不揮発性の記憶媒体に記憶して、又はネットワークを介して配布して、画像形成装置１０に適宜インストールすることで実現してもよい。なお、不揮発性の記憶媒体の例としては、ＣＤ-ＲＯＭ、光磁気ディスク、ＨＤＤ、ＤＶＤ-ＲＯＭ、フラッシュメモリ、メモリカード等が想定される。
【００３３】
表示部１６には、例えば、液晶ディスプレイ(ＬＣＤ:Liquid Crystal Display)や有機ＥＬ(Electro Luminescence)ディスプレイ等が用いられる。表示部１６は、タッチパネルを一体的に有している。操作部１８には、テンキーやスタートキー等の各種の操作キーが設けられている。表示部１６及び操作部１８は、画像形成装置１０のユーザから各種の指示を受け付ける。この各種の指示には、例えば、原稿の読み取りを開始させる指示や、原稿のコピーを開始させる指示が含まれる。表示部１６は、ユーザから受け付けた指示に応じて実行された処理の結果や、処理に対する通知等の各種の情報を表示する。
【００３４】
また、操作部１８には、主電源をオン（ＯＮ）又はオフ（ＯＦＦ）にする主電源ボタン１８Ａと、画像形成装置１０をスリープモードに移行させる節電ボタン１８Ｂと、が設けられている。スリープモードとは、画像形成装置１０の節電モードの一つであり、例えば、制御部１２だけが通電されている状態である。
【００３５】
上記の主電源ボタン１８Ａが押圧された場合、ＣＰＵ１２Ａは、切替部２６をオンからオフ、又は、オフからオンに切り替える制御を行う。この切替部２６により、主電源のオン／オフが切り替えられる。また、上記の節電ボタン１８Ｂが押圧された場合、ＣＰＵ１２Ａが移行部３４として機能する。つまり、移行部３４は、画像形成装置１０をスリープモードに移行させる。また、移行部３４は、スリープモードとされている画像形成装置１０のスリープモードを解除する。
【００３６】
原稿読取部２２は、自動原稿送り装置の給紙台に置かれた原稿を１枚ずつ取り込み、取り込んだ原稿を光学的に読み取って画像情報を得る。あるいは、原稿読取部２２は、プラテンガラス等の原稿台に置かれた原稿を光学的に読み取って画像情報を得る。
【００３７】
画像形成部２０は、原稿読取部２２による読み取りによって得られた画像情報、又は、ネットワークを介して接続された外部のＰＣ(Personal Computer)等から得られた画像情報に基づく画像を、紙等の記録媒体に形成する。なお、本実施形態においては、画像を形成する方式として、電子写真方式を例示して説明するが、インクジェット方式等の他の方式を採用してもよい。
【００３８】
画像を形成する方式が電子写真方式の場合、画像形成部２０は、感光体ドラム、帯電部、露光部、現像部、転写部、及び定着部を含む。帯電部は、感光体ドラムに電圧を印加して感光体ドラムの表面を帯電させる。露光部は、帯電部で帯電された感光体ドラムを画像情報に応じた光で露光することにより感光体ドラムに静電潜像を形成する。現像部は、感光体ドラムに形成された静電潜像をトナーにより現像することで感光体ドラムにトナー像を形成する。転写部は、感光体ドラムに形成されたトナー像を記録媒体に転写する。定着部は、記録媒体に転写されたトナー像を加熱及び加圧により定着させる。
【００３９】
上記の画像形成装置１０は、例えば、オフィスや店舗等に設置される場合がある。また、これらのオフィスや店舗等においては、画像形成装置１０に電源電圧（以下、単に電圧という。）を供給するためのコンセント４４が設けられている。コンセント４４は、電圧供給口の一例であり、ブレーカー４２を介して商用電源系統４０と接続されている。画像形成装置１０のプラグ２８は、差込端子の一例であり、コンセント４４に対して挿抜可能に差し込まれる。なお、プラグ２８は、画像形成装置１０に一体で備えていなくてもよく、画像形成装置１０に対して着脱可能なものでもよい。プラグ２８とコンセント４４との接続により、商用電源系統４０から画像形成装置１０へ電圧が供給される。この電圧の供給により、画像形成部２０を含む各機能部が動作する。
【００４０】
商用電源系統４０は、外部電源の一例であり、例えば、１００Ｖの交流電圧を供給する。ＬＶ電源２７は、商用電源系統４０から供給される１００Ｖの交流電圧を、例えば、２４Ｖに変圧して各部に供給する。
【００４１】
ブレーカー４２は、遮断器の一例であり、商用電源系統４０とコンセント４４との間に接続される。ブレーカー４２には、例えば、熱動式や電磁式等のブレーカーが用いられる。ブレーカー４２は、規定値を超える電流が流れた場合に、商用電源系統４０から画像形成装置１０への電圧の供給を遮断する動作を行う。なお、ブレーカー４２の遮断により、画像形成装置１０への電圧の供給が停止することを、以下では、「ブレーカー落ち」という。
【００４２】
ところで、ブレーカー落ちの直後にブレーカーを復帰させ、画像形成装置を再起動すると、ブレーカー落ちが再発する可能性が高い。ブレーカーとしては、一般に熱動式のものが広く利用されており、この熱動式のブレーカーでは電流に応じて一定温度以上に加熱された場合に遮断の動作を行う。つまり、ブレーカー落ちの直後ではブレーカーの温度が十分に下がっておらず、この状況下で画像形成装置１０を再起動すると、ブレーカーの温度が上記一定温度以上となってしまい、ブレーカー落ちが再発すると考えられる。なお、電磁式の場合でも、上記熱動式の場合と同様に、ブレーカー落ちの再発が起こり得る。
【００４３】
しかしながら、従来の画像形成装置では、電圧の供給が停止した原因がブレーカー落ちによるものか否かを精度良く判定することは難しく、ブレーカー落ちを再発させてしまう場合がある。
【００４４】
これに対して、本第１の実施形態に係る検知部２４は、商用電源系統４０から供給される電圧の大きさ（値）を検知する。また、本第１の実施形態に係るＣＰＵ１２Ａは、記憶部１４に記憶されている判定処理プログラム１４ＡをＲＡＭ１２Ｃに書き込んで実行することにより、本第１の実施形態に係る判定部３０として機能する。判定部３０は、商用電源系統４０からの電圧の供給が停止した後に再開された場合に、当該停止の直前における上記電圧の変化量に基づいて、ブレーカー落ちにより電圧の供給が停止したか否かを判定する。上記電圧の変化量は、検知部２４により検知された電圧の値から導出される。なお、本第１の実施形態に係る判定部３０は、上記電圧の変化量、及び、停止の直前に検知部２４により検知された電圧の値に基づいて、停止の原因がブレーカー落ちによるものか否かを判定する。
【００４５】
なお、以下では、検知部２４により商用電源系統４０から供給される交流電圧を検知する場合を例示して説明するが、検知部２４により商用電源系統４０から供給される交流電流を検知して同様の判定処理を行ってもよい。
【００４６】
次に、図２を参照して、本第１の実施形態に係る画像形成装置１０が備える判定部３０の作用を説明する。なお、図２は、第１の実施形態に係る判定処理プログラム１４Ａによる処理の流れの一例を示すフローチャートである。
ＣＰＵ１２Ａは、画像形成装置１０の起動により商用電源系統４０から電圧の供給が開始されると、記憶部１４に記憶されている判定処理プログラム１４ＡをＲＡＭ１２Ｃに書き込んで実行し、判定部３０として機能する。
【００４７】
まず、図２のステップ１００では、判定部３０が、商用電源系統４０から供給される電圧の値及び変化量を時間情報と共に記憶部１４に記憶する。商用電源系統４０から供給される電圧は、一定時間毎又は連続的に検知部２４により検知される。判定部３０は、検知部２４により検知された電圧の値に、検知したときの時間情報を対応付けて記憶部１４に記憶する。そして、判定部３０は、これらの電圧の値及び時間情報から電圧の変化量を導出し、導出した電圧の変化量を記憶部１４に記憶する。電圧の変化量は、予め定められた数の複数の電圧の値が得られた段階で導出してもよいし、上記一定時間以上の予め定められた期間が経過した段階で導出してもよい。なお、電圧を繰り返し検知する間隔が既知である場合には、時間情報を不要としてもよい。
【００４８】
次に、ステップ１０２では、判定部３０が、例えば、検知部２４による検知結果に基づいて、商用電源系統４０からの電圧の供給が停止したか否かを判定する。この判定の一例として、判定部３０は、検知部２４により検知された電圧が閾値未満となった場合に、商用電源系統４０からの電圧の供給が停止したと判定してもよい。この場合、電圧が０（ゼロ）でない場合も含まれる。電圧の供給が停止したと判定した場合（肯定判定の場合）、ステップ１０４に移行し、電圧の供給が停止していないと判定した場合（否定判定の場合）、ステップ１００に戻り処理を繰り返す。
【００４９】
次に、ステップ１０４では、判定部３０が、電圧の供給の停止の原因が移行部３４による移行、すなわち、スリープモードへの移行による停止か否かを判定する。スリープモードへの移行による停止の場合（肯定判定の場合）、ステップ１０６に移行し、スリープモードへの移行による停止ではない場合（否定判定の場合）、ステップ１０８に移行する。
【００５０】
次に、ステップ１０６では、判定部３０が、スリープモードに移行したことを示す移行情報を記憶部１４に記憶する。移行情報としては、例えば、スリープモードへ移行したことを示すフラグの値を記憶部１４に記憶してもよい。
【００５１】
一方、ステップ１０８では、判定部３０が、例えば、検知部２４による検知結果に基づいて、商用電源系統４０からの電圧の供給が再開したか否かを判定する。この判定の一例として、判定部３０は、検知部２４により検知された電圧が閾値以上となった場合に、商用電源系統４０からの電圧の供給が再開したと判定してもよい。電圧の供給が再開したと判定した場合（肯定判定の場合）、ステップ１１０に移行し、電圧の供給が再開していないと判定した場合（否定判定の場合）、ステップ１０８で待機状態となる。
【００５２】
次に、ステップ１１０では、判定部３０が、記憶部１４に移行情報が記憶されているか否かを判定する。記憶部１４に移行情報が記憶されている場合（肯定判定の場合）、ステップ１１２に移行し、記憶部１４に移行情報が記憶されていない場合（否定判定の場合）、ステップ１１４に移行する。
【００５３】
次に、ステップ１１２では、判定部３０が、電圧の供給が停止された原因がスリープモードへの移行によるものと判定し、この判定結果を起動部３２に通知した後、本判定処理プログラム１４Ａを終了する。
【００５４】
一方、ステップ１１４以降においては、判定部３０が、電圧の停止の直前にステップ１００の処理で記憶された電圧の値及び変化量に基づいて、電圧の停止の原因がブレーカー落ちによるものか否かを判定する。
【００５５】
図３は、本実施形態に係る画像形成装置１０への電圧の供給がブレーカー４２の遮断により停止した場合における時間の経過に伴う商用電源系統４０から画像形成装置１０に供給される電圧の変化の一例を示すグラフである。
図３において、縦軸は、電圧（単位：ボルト（Ｖ））を示す。横軸は、時間（単位：秒（ｓ））を示す。なお、上記電圧は交流電圧であるため、実際には正弦波となるが、ここでは簡略化して示している。
【００５６】
図３に示すように、商用電源系統４０から画像形成装置１０へ第１電圧Ｖ１（例えば、１００Ｖ）が供給される。画像形成装置１０には、表示部１６、操作部１８、画像形成部２０、及び原稿読取部２２をはじめ、図示しないフィニッシャ部等の様々な負荷が設けられている。そして、画像形成装置１０の負荷が多くなるに連れて、画像形成装置１０に入力された電圧は徐々に低下していく。なお、第２電圧Ｖ２は、ブレーカー落ちが発生する目安となる予め定められた閾値（基準値）である。第２電圧Ｖ２は、例えば、９０Ｖに設定される。
【００５７】
ここで図３における時刻Ｔ１において、画像形成装置１０への電圧の供給が停止し、画像形成装置１０に入力される電圧が０（ゼロ）になる場合を想定する。この場合、画像形成装置１０への電圧の供給が再開されると、判定部３０は、記憶部１４を参照し、電圧の停止の直前における電圧の値及び変化量（傾き）を取得する。つまり、記憶部１４には、時刻Ｔ１以前の電圧の値及び変化量が記憶されている。判定部３０は、記憶部１４から、電圧の停止の直前における電圧の値及び変化量を取得する。
【００５８】
本実施形態では、電圧の停止の直前における電圧の変化量は、電圧の停止の直前における電圧の変化の第１変曲点Ｐ１と、第１変曲点Ｐ１の直前における電圧の変化の第２変曲点Ｐ２との間における電圧の変化量ｋ１として示される。また、この場合、電圧の停止の直前における電圧の値は、電圧の第１変曲点Ｐ１における値Ｖｐとして示される。なお、変曲点とは、図３及び後述の図４、図５に示すように、時間の経過に伴い推移する電圧の傾きが変化する点を表す。
【００５９】
ブレーカー落ちにより電圧の供給が停止した場合、電圧の変化量ｋ１は、電圧が低下している状態を示し、電圧の第１変曲点Ｐ１における値Ｖｐは、第２電圧Ｖ２以下となる。ここで、「電圧が低下している状態」とは、電圧の変化量ｋ１（＝第１変曲点Ｐ１の電圧値−第２変曲点Ｐ２の電圧値）が負の値になる状態を示すものとする。
【００６０】
一方、図４は、本実施形態に係る画像形成装置１０への電圧の供給がプラグ２８の引き抜きにより停止した場合における時間の経過に伴う商用電源系統４０から画像形成装置１０に供給される電圧の変化の一例を示すグラフである。また、図５は、本実施形態に係る画像形成装置１０への電圧の供給がプラグ２８の引き抜きにより停止した場合における時間の経過に伴う商用電源系統４０から画像形成装置１０に供給される電圧の変化の他の例を示すグラフである。
図４及び図５において、縦軸及び横軸は図３のグラフと同一である。なお、図３の例と同様に、上記電圧は交流電圧であるため、実際には正弦波となるが、ここでは簡略化して示している。
【００６１】
なお、画像形成装置１０のプラグ２８がコンセント４４から引き抜かれた状態を、以下では、「プラグ引き抜き」という。プラグ引き抜きにより電圧の供給が停止した場合、電圧の変化量ｋ１は、一例として図４に示すように、電圧が一定の状態を示す。ここで、「電圧が一定の状態」とは、電圧の変化量ｋ１が予め定められた誤差を含んで０（ゼロ）となる状態を示すものとする。なお、この例の場合、電圧の第１変曲点Ｐ１における値Ｖｐは、第２電圧Ｖ２以下となる。また、プラグ引き抜きにより電圧の供給が停止した場合、電圧の変化量ｋ１は、一例として図５に示すように、電圧が上昇している状態を示す場合もある。ここで、「電圧が上昇している状態」とは、電圧の変化量ｋ１が正の値になる状態を示すものとする。なお、この例の場合、電圧の第１変曲点Ｐ１における値Ｖｐは、第２電圧Ｖ２よりも大きくなる。
【００６２】
上記の図４及び図５の例では、プラグ引き抜きにより電圧の供給が停止する場合について示した。なお、主電源ボタン１８Ａのオフにより電圧の供給が停止した場合における時間の経過に伴う商用電源系統４０から画像形成装置１０に供給される電圧の変化についても、図４及び図５に示す例と同様となる。
【００６３】
上記を踏まえ、図２に戻り、ステップ１１４では、判定部３０が、電圧の停止の直前における電圧の変化量ｋ１が負の値か否かを判定する。電圧の変化量ｋ１が負の値である場合（肯定判定の場合）、ステップ１１６に移行し、電圧の変化量ｋ１が負の値ではない場合（否定判定の場合）、ステップ１２０に移行する。
【００６４】
次に、ステップ１１６では、判定部３０が、電圧の停止の直前における電圧の値Ｖｐが基準値（第２電圧Ｖ２）以下か否かを判定する。電圧の値Ｖｐが基準値以下である場合（肯定判定の場合）、ステップ１１８に移行し、電圧の値Ｖｐが基準値より大きい場合（否定判定の場合）、ステップ１２０に移行する。
【００６５】
次に、ステップ１１８では、判定部３０が、ステップ１１４での電圧の変化量ｋ１が負の値を示し、且つ、ステップ１１６での電圧の値Ｖｐが基準値以下である場合、電圧の停止の原因がブレーカー落ちによるものと判定する。そして、判定部３０は、この判定結果を起動部３２に通知した後、本判定処理プログラム１４Ａを終了する。
【００６６】
一方、ステップ１２０では、判定部３０が、ステップ１１４での電圧の変化量ｋ１が負の値を示さない場合、又は、ステップ１１６での電圧の値Ｖｐが基準値よりも大きい場合、電圧の停止の原因がプラグ引き抜きによるものと判定する。そして、判定部３０は、この判定結果を起動部３２に通知した後、本判定処理プログラム１４Ａを終了する。
【００６７】
上記の第１の実施形態によれば、商用電源系統４０からの電圧の供給が停止した後に再開した場合に、電圧の供給が停止した原因がブレーカー落ちによるものか否かが精度良く判定される。
【００６８】
次に、図６を参照して、本第１の実施形態に係る画像形成装置１０が備える起動部３２の作用を説明する。なお、図６は、第１の実施形態に係る起動処理プログラム１４Ｂによる処理の流れの一例を示すフローチャートである。
ＣＰＵ１２Ａは、判定部３０から判定結果が通知されると、記憶部１４に記憶されている起動処理プログラム１４ＢをＲＡＭ１２Ｃに書き込んで実行し、起動部３２として機能する。
【００６９】
まず、図６のステップ１３０では、起動部３２が、上記の判定部３０から通知される判定結果に基づいて、電圧の停止の原因がブレーカー落ちであるか否かを判定する。ブレーカー落ちではない、すなわち、スリープモード又はプラグ引き抜きと判定した場合（否定判定の場合）、ステップ１３２に移行する。また、ブレーカー落ちと判定した場合（肯定判定の場合）、ステップ１３４に移行する。
【００７０】
次に、ステップ１３２では、起動部３２が、画像形成装置１０を通常モードで起動する。通常モードとは、例えば、画像形成装置１０の各機能部に通電し、画像形成装置１０を最大電力で起動するモードである。なお、スリープモードとプラグ引き抜きとで異なるモードで起動させてもよい。
【００７１】
一方、ステップ１３４では、起動部３２が、画像形成装置１０を省電力モードに移行させて起動するか否かを判定する。省電力モードに移行させて起動する場合（肯定判定の場合）、ステップ１３６に移行する。また、省電力モードに移行させて起動しない場合（否定判定の場合）、ステップ１３２に移行する。なお、省電力モードに移行させて起動するか否かを判定する方法の一例として、図７に示すように、ブレーカー落ちが発生したことを報知する報知画面５０を、表示部１６（タッチパネル）に表示させてもよい。
【００７２】
図７は、本実施形態に係る報知画面５０の一例を示す図である。
図７に示すように、報知画面５０は、ユーザにブレーカー落ちが発生したことを報知すると共に、ユーザに画像形成装置１０を省電力モードに移行させて起動するか否かを選択させる画面である。この場合、起動部３２は、表示部１６に報知画面５０を表示させ、ユーザからの選択指示を待つ。そして、ユーザが報知画面５０の「はい」を選択した場合、ステップ１３４で肯定判定となり、ステップ１３６に移行する。また、ユーザが報知画面５０の「いいえ」を選択した場合、ステップ１３４で否定判定となり、ステップ１３２に移行する。
【００７３】
次に、ステップ１３６では、起動部３２が、画像形成装置１０を省電力モードに移行させて起動する。この省電力モードとは、例えば、画像形成部２０が備える定着部の定着温度を下げる、及び、記録媒体の搬送間隔を長くする、の少なくとも一方の制御が行われるモードである。省電力モードでの消費電力は、通常モードでの消費電力よりも小さい。なお、定着部の定着温度を下げる方法としては、例えば、複数の定着ランプの一部に通電しない、又は、複数の定着ランプの各々の定着温度を略均等に下げる、等の方法が考えられる。この省電力モードでの起動により、画像形成装置１０の消費電力を下げて、ブレーカー落ちの再発を防止する。なお、上記の例では、ユーザの選択指示に従って省電力モードに移行させているが、ブレーカー落ちと判定した場合に、画像形成装置１０を強制的に省電力モードに移行させて起動してもよい。
【００７４】
[第２の実施形態]
上記第１の実施形態では、ブレーカー落ちの再発を防止するために、画像形成装置１０が報知画面５０を表示して画像形成装置１０を省電力モードで起動するか否かをユーザが判断した。これに対して、本第２の実施形態では、ブレーカー落ちの再発を防止するために、画像形成装置１０を省電力モードで起動するか否かを画像形成装置１０が判断する。なお、本第２の実施形態に係る画像形成装置１０の構成は、上記の第１の実施形態に係る画像形成装置１０と同様なので、ここでの説明は省略する。
【００７５】
本第２の実施形態に係る判定部３０は、商用電源系統４０からの電圧の供給が停止した後に再開された場合に、ブレーカー落ちにより電圧の供給が停止したか否かを判定する。この判定部３０による判定処理には、例えば、上述の第１の実施形態で説明した判定処理が適用される。また、本第２の実施形態に係るＣＰＵ１２Ａは、記憶部１４に記憶されている起動処理プログラム１４ＢをＲＡＭ１２Ｃに書き込んで実行することにより、本第２の実施形態に係る起動部３２として機能する。起動部３２は、判定部３０により停止の原因がブレーカー落ちによるものと判定された場合に、画像形成装置１０の起動モードを省電力モードに移行させて起動する。
【００７６】
次に、図８を参照して、本第２の実施形態に係る画像形成装置１０が備える起動部３２の作用を説明する。なお、図８は、第２の実施形態に係る起動処理プログラム１４Ｂによる処理の流れの一例を示すフローチャートである。
ＣＰＵ１２Ａは、判定部３０から判定結果が通知されると、記憶部１４に記憶されている起動処理プログラム１４ＢをＲＡＭ１２Ｃに書き込んで実行し、起動部３２として機能する。
【００７７】
まず、図８のステップ１４０では、起動部３２が、上記の判定部３０から通知される判定結果に基づいて、電圧の停止の原因がブレーカー落ちであるか否かを判定する。ブレーカー落ちではない、すなわち、スリープモードへの移行又はプラグ引き抜きと判定した場合（否定判定の場合）、ステップ１４２に移行する。また、ブレーカー落ちと判定した場合（肯定判定の場合）、ステップ１４４に移行する。
【００７８】
次に、ステップ１４２では、起動部３２が、画像形成装置１０を通常モードで起動する。通常モードとは、上述したように、画像形成装置１０の各機能部に通電し、画像形成装置１０を最大電力で起動するモードである。
【００７９】
一方、ステップ１４４では、起動部３２が、電圧の停止の直前における電圧の値とは異なる第１閾値を設定する。電圧の停止の直前における電圧の値は、検知部２４により検知される。この電圧の停止の直前における電圧の値は、上記の図３に示したように、例えば、第１変曲点Ｐ１の値Ｖｐとして示される。具体的には、記憶部１４に予め複数の閾値を記憶しておき、第１変曲点Ｐ１の値Ｖｐに応じた閾値を第１閾値として設定してもよい。なお、ブレーカー４２が脆弱であり通常環境下においてブレーカー落ちし易い場合、第１閾値として、第１変曲点Ｐ１の値Ｖｐよりも大きい値を設定することが望ましい。一方、ブレーカー４２が通常環境下で比較的ブレーカー落ちし難い場合、第１閾値として、第１変曲点Ｐ１の値Ｖｐよりも小さい値を設定してもよい。
【００８０】
次に、ステップ１４６では、起動部３２が、商用電源系統４０から供給が再開された電圧の値が第１閾値以上であるか否かを判定する。供給再開後の電圧の値が第１閾値以上であると判定した場合（肯定判定の場合）、ステップ１４２に移行する。供給再開後の電圧の値が第１閾値未満であると判定した場合（否定判定の場合）、ステップ１４８に移行する。
【００８１】
次に、ステップ１４８では、起動部３２が、画像形成装置１０を省電力モードに移行させて起動する。この省電力モードとは、上述したように、画像形成部２０が備える定着部の定着温度を下げる、及び、記録媒体の搬送間隔を長くする、の少なくとも一方の制御が行われるモードである。省電力モードでの消費電力は、通常モードでの消費電力よりも小さい。
【００８２】
上記の例において、起動部３２は、電圧の停止の直前における電圧の値に基づいて第１閾値を設定し、商用電源系統４０から供給が再開された電圧の値が第１閾値未満の場合、画像形成装置１０を省電力モードに移行させて起動する。この省電力モードでの起動により、画像形成装置１０の消費電力を下げて、ブレーカー落ちの再発を防止する。
【００８３】
次に、図９を参照して、本第２の実施形態に係る画像形成装置１０が備える起動部３２の他の作用を説明する。なお、図９は、第２の実施形態に係る起動処理プログラム１４Ｂによる処理の流れの他の例を示すフローチャートである。
ＣＰＵ１２Ａは、判定部３０から判定結果が通知されると、記憶部１４に記憶されている起動処理プログラム１４ＢをＲＡＭ１２Ｃに書き込んで実行し、起動部３２として機能する。
【００８４】
まず、図９のステップ１５０では、起動部３２が、上記の判定部３０から通知される判定結果に基づいて、電圧の停止の原因がブレーカー落ちであるか否かを判定する。ブレーカー落ちではない、すなわち、スリープモードへの移行又はプラグ引き抜きと判定した場合（否定判定の場合）、ステップ１５２に移行する。また、ブレーカー落ちと判定した場合（肯定判定の場合）、ステップ１５４に移行する。
【００８５】
次に、ステップ１５２では、起動部３２が、画像形成装置１０を通常モードで起動する。
【００８６】
一方、ステップ１５４では、起動部３２が、電圧の供給が停止してから再開するまでの時間を計測する。この計測時間は、記憶部１４に記憶されている電圧の値及び時間情報に基づいて導出される。つまり、計測時間は、電圧の供給が停止した直前の電圧の値に対応する時間情報と、電圧の供給が再開した直後の電圧の値に対応する時間情報と、から導出される。
【００８７】
次に、ステップ１５６では、起動部３２が、ステップ１５４で計測した計測時間が予め定められた時間（基準時間）以上か否かを判定する。計測時間が基準時間以上であると判定した場合（肯定判定の場合）、ステップ１５２に移行する。計測時間が基準時間未満であると判定した場合（否定判定の場合）、ステップ１５８に移行する。
【００８８】
次に、ステップ１５８では、起動部３２が、画像形成装置１０の起動を、予め定められた期間（一定期間）遅延させる。この起動を遅延させる期間は、特に限定されるものではないが、例えば、上記の基準時間から計測時間を減じた時間以上の期間が設定される。
【００８９】
次に、ステップ１６０では、起動部３２が、起動部３２が、画像形成装置１０を省電力モードに移行させて起動する。
【００９０】
なお、上記ステップ１５８を設けないフローとしてもよい。この場合、起動部３２が、ステップ１５６において計測時間が基準時間未満であると判定した場合に、ステップ１６０に移行し、画像形成装置１０を省電力モードに移行させて起動する。
【００９１】
上記の例において、起動部３２は、電圧の供給が停止してから再開するまでの計測時間が基準時間未満である場合、画像形成装置１０を省電力モードに移行させて起動する。この省電力モードでの起動により、画像形成装置１０の消費電力を下げて、ブレーカー落ちの再発を防止する。なお、省電力モードへの移行前に、画像形成装置１０を一定期間遅延させることで、ブレーカー落ちの再発防止の効果がより高くなる。
【００９２】
次に、図１０を参照して、本第２の実施形態に係る画像形成装置１０が備える起動部３２の他の作用を説明する。なお、図１０は、第２の実施形態に係る起動処理プログラム１４Ｂによる処理の流れの他の例を示すフローチャートである。
ＣＰＵ１２Ａは、判定部３０から判定結果が通知されると、記憶部１４に記憶されている起動処理プログラム１４ＢをＲＡＭ１２Ｃに書き込んで実行し、起動部３２として機能する。
【００９３】
まず、図１０のステップ１７０では、起動部３２が、上記の判定部３０から通知される判定結果に基づいて、停止の原因がブレーカー落ちであるか否かを判定する。ブレーカー落ちではない、すなわち、スリープモードへの移行又はプラグ引き抜きと判定した場合（否定判定の場合）、ステップ１７２に移行する。また、ブレーカー落ちと判定した場合（肯定判定の場合）、ステップ１７４に移行する。
【００９４】
次に、ステップ１７２では、起動部３２が、画像形成装置１０を通常モードで起動する。
【００９５】
一方、ステップ１７４では、起動部３２が、電圧の停止の直前における電圧の値とは異なる第１閾値を設定する。電圧の停止の直前における電圧の値は、検知部２４により検知される。
【００９６】
次に、ステップ１７６では、起動部３２が、電圧の供給が停止してから再開するまでの時間を計測する。この計測時間は、図９のステップ１５４で説明したように、記憶部１４に記憶されている電圧の値及び時間情報に基づいて導出される。
【００９７】
次に、ステップ１７８では、起動部３２が、ステップ１７６で計測した計測時間が予め定められた時間（基準時間）以上か否かを判定する。計測時間が基準時間以上であると判定した場合（肯定判定の場合）、ステップ１８０に移行する。計測時間が基準時間未満であると判定した場合（否定判定の場合）、ステップ１８２に移行する。
【００９８】
次に、ステップ１８０では、起動部３２が、商用電源系統４０から供給が再開された電圧の値が第１閾値以上であるか否かを判定する。供給再開後の電圧の値が第１閾値以上であると判定した場合（肯定判定の場合）、ステップ１７２に移行する。供給再開後の電圧の値が第１閾値未満であると判定した場合（否定判定の場合）、ステップ１８８に移行する。
【００９９】
一方、ステップ１８２では、起動部３２が、ステップ１７６で計測した計測時間に応じて、第１閾値よりも大きい第２閾値を設定する。つまり、計測時間が短いと、ブレーカー落ちの再発の可能性が高くなる。そこで、この例では、第１閾値よりも大きい第２閾値をさらに設定する。第２閾値としては、特に限定されるものではないが、計測時間が短いほど、大きな値が設定されることが望ましい。
【０１００】
次に、ステップ１８４では、起動部３２が、商用電源系統４０から供給が再開された電圧の値が第２閾値以上であるか否かを判定する。供給再開後の電圧の値が第２閾値以上であると判定した場合（肯定判定の場合）、ステップ１７２に移行する。供給再開後の電圧の値が第２閾値未満であると判定した場合（否定判定の場合）、ステップ１８６に移行する。
【０１０１】
次に、ステップ１８６では、起動部３２が、画像形成装置１０の起動を、予め定められた期間（一定期間）遅延させる。
【０１０２】
次に、ステップ１８８では、起動部３２が、画像形成装置１０を省電力モードに移行させて起動する。
【０１０３】
上記の例において、起動部３２は、電圧の供給が停止してから再開するまでの計測時間が基準時間以上と判定され、且つ、供給再開後の電圧の値が第１閾値未満と判定された場合、一定期間遅延させずに、画像形成装置１０を省電力モードに移行させて起動する。また、起動部３２は、上記計測時間が基準時間未満と判定され、且つ、供給再開後の電圧の値が第２閾値未満と判定された場合、画像形成装置１０の起動を、一定期間遅延させる。そして、起動部３２は、一定期間遅延後に、画像形成装置１０を省電力モードに移行させて起動する。この省電力モードでの起動により、画像形成装置１０の消費電力を下げて、ブレーカー落ちの再発を防止する。
【０１０４】
上記で説明した第２の実施形態によれば、商用電源系統４０からの電圧の供給が停止した原因がブレーカー落ちであると判定された場合に、画像形成装置１０を省電力モードに移行させて起動することで、ブレーカー落ちの再発が防止される。
【０１０５】
以上、実施形態として電子機器及び画像形成装置を例示して説明した。実施形態は、電子機器が備える各部の機能をコンピュータに実行させるためのプログラムの形態としてもよい。実施形態は、このプログラムを記憶したコンピュータが読み取り可能な記憶媒体の形態としてもよい。
【０１０６】
その他、上記実施形態で説明した電子機器及び画像形成装置の構成は、一例であり、主旨を逸脱しない範囲内において状況に応じて変更してもよい。
【０１０７】
また、上記実施形態で説明したプログラムの処理の流れも、一例であり、主旨を逸脱しない範囲内において不要なステップを削除したり、新たなステップを追加したり、処理順序を入れ替えたりしてもよい。
【０１０８】
また、上記実施形態では、プログラムを実行することにより、実施形態に係る処理がコンピュータを利用してソフトウェア構成により実現される場合について説明したが、これに限らない。実施形態は、例えば、ハードウェア構成や、ハードウェア構成とソフトウェア構成との組み合わせによって実現してもよい。
【符号の説明】
【０１０９】
１０   画像形成装置
１２   制御部
１４   記憶部
１４Ａ 判定処理プログラム
１４Ｂ 起動処理プログラム
１６   表示部
１８   操作部
１８Ａ 主電源ボタン
１８Ｂ 節電ボタン
２０   画像形成部
２２   原稿読取部
２４   検知部
２６   切替部
２７   ＬＶ電源
２８   プラグ
３０   判定部
３２   起動部
３４   移行部
４０   商用電源系統
４２   ブレーカー
４４   コンセント
５０   報知画面
【図１】
2018044982.tif 000003
【図２】
2018044982.tif 000004
【図３】
2018044982.tif 000005
【図４】
2018044982.tif 000006
【図５】
2018044982.tif 000007
【図６】
2018044982.tif 000008
【図７】
2018044982.tif 000009
【図８】
2018044982.tif 000010
【図９】
2018044982.tif 000011
【図１０】
2018044982.tif 000012